(57)【要約】  【課題】ナビゲーション装置の操作のエンターテイメント性を高めるとともに、ユーザをナビゲーション装置の操作により熟練し易くする。  【解決手段】車両等に搭載されるナビゲーション装置１は、複数のメニュー項目から構成される操作メニューをディスプレイに表示する表示制御部１４０と、タッチパネル等の入力装置を介して操作メニューに対するユーザの操作を受け付け、メニュー項目の操作回数を操作履歴情報１８２０に記録するユーザ操作受付部１５０と、記録された操作回数に応じた熟練レベルを熟練レベル判定情報１８３０を用いて特定する熟練レベル判定部１６０と、特定された熟練レベルに応じた新しいメニュー項目を操作メニューに追加する操作メニュー変更部１７０とを有する。【選択図】図２
2011075525.tif 000002
【特許請求の範囲】
【請求項１】
ディスプレイに地図情報を表示して経路誘導を行うナビゲーション装置であって、
複数のメニュー項目から構成される操作メニューを前記ディスプレイに表示する表示制御手段と、
前記操作メニューに対するユーザの操作を受け付けるユーザ操作受付手段と、
前記操作の回数を記憶する操作履歴記憶手段と、
前記操作回数の増加に応じて、前記操作メニューを構成する所定のメニュー項目を増加させる操作メニュー変更手段と、を有すること、
を特徴とするナビゲーション装置。
【請求項２】
請求項１に記載のナビゲーション装置であって、
前記操作履歴記憶手段は、
前記メニュー項目ごとに前記操作回数を記憶し、
前記操作メニュー変更手段は、
前記メニュー項目ごとの前記操作回数の増加に応じて、前記操作メニューを構成する所定のメニュー項目を増加させること、
を特徴とするナビゲーション装置。
【請求項３】
請求項１または２に記載のナビゲーション装置であって、
前記メニュー項目ごとに、操作が最後に受け付けられた操作時刻を記憶する操作時刻記憶手段と、
前記メニュー項目ごとに、前記操作時刻から所定時間を経過したか否かを判定する経過時間判定手段と、を有し、
前記操作メニュー変更手段は、
前記操作時刻から所定時間を経過したと判定された場合に、前記操作メニューを構成する所定のメニュー項目を操作不能な項目として指定し、
前記表示制御手段は、
操作不能として指定された前記メニュー項目を、操作不能な項目であることを示す態様で表示もしくは非表示にすること、
を特徴とするナビゲーション装置。
【請求項４】
請求項３に記載のナビゲーション装置であって、
所定のメニュー項目が増加した場合、もしくは、所定のメニュー項目が操作不能な項目として指定された場合、その旨を示すメッセージをユーザに通知する通知手段、を有すること、
を特徴とするナビゲーション装置。
【請求項５】
ディスプレイに地図情報を表示して経路誘導を行うナビゲーション装置における操作メニュー変更方法であって、
前記ナビゲーション装置は、
複数のメニュー項目から構成される操作メニューを前記ディスプレイに表示する表示制御ステップと、
前記操作メニューに対するユーザの操作を受け付けるユーザ操作受付ステップと、
前記操作の回数を記憶する操作履歴記憶ステップと、
前記操作回数の増加に応じて、前記操作メニューを構成する所定のメニュー項目を増加させる操作メニュー変更ステップと、を行うこと、
を特徴とする操作メニュー変更方法。
【発明の詳細な説明】
【技術分野】
【０００１】
本発明は、ナビゲーション装置、およびその操作メニュー変更方法に関する。
【背景技術】
【０００２】
従来から、車両等に搭載されるナビゲーション装置において、操作メニューに対するユーザの利便性を向上するために、ユーザの習熟度に応じて操作メニューを切り換える技術が知られている。
【０００３】
例えば、特許文献１には、操作メニューを表示した表示時間と当該操作メニューに対してユーザが操作指示を行った入力時間とから判断時間を算出し、判断時間に応じた習熟度（初心者、標準者、上級者）を特定し、使用されている操作メニュー構造を習熟度に対応した操作メニュー構造に切り換える車両用ナビゲーション装置が記載されている。
【先行技術文献】
【特許文献】
【０００４】
【特許文献１】特開２００２−２２９７００号公報
【発明の概要】
【発明が解決しようとする課題】
【０００５】
上記のようなナビゲーション装置において、習熟度に応じた各操作メニューは、操作メニューを構成する各メニュー項目の配置（階層メニュー構造における階層位置も含む）が互いに異なる。そして、習熟度に応じて異なる構造の操作メニューが表示されることにより、ユーザの利便性は向上する。
【０００６】
一方で、上記のような操作メニューにおいては、各メニュー項目の配置が変更されるが、メニュー項目が削除されたり使用できなくなったりしない。そのため、ユーザは、習熟度に係わらずナビゲーション装置の全ての機能を利用することができる。
【０００７】
しかしながら、初心者であっても最初から全ての機能を使用することができるため、様々なメニュー操作にチャレンジして習得するといったユーザの積極的な意志を助長することができない。また、最初から全ての機能を使用することができると、メニュー操作に対するユーザの興味を引くことができず、ユーザにとってエンターテイメント性がない。
【０００８】
また、全てのメニュー項目が表示されるため、初心者のユーザにとっては、使いこなせない機能のメニュー項目が却って操作の邪魔になる場合がある。
【０００９】
本発明は、ナビゲーション装置の操作のエンターテイメント性を高めるとともに、ユーザをナビゲーション装置の操作により熟練し易くするための技術を提供することを目的とする。
【課題を解決するための手段】
【００１０】
上記の課題を解決するための装置に係る発明は、ディスプレイに地図情報を表示して経路誘導を行うナビゲーション装置であって、複数のメニュー項目から構成される操作メニューを前記ディスプレイに表示する表示制御手段と、前記操作メニューに対するユーザの操作を受け付けるユーザ操作受付手段と、前記操作の回数を記憶する操作履歴記憶手段と、前記操作回数の増加に応じて、前記操作メニューを構成する所定のメニュー項目を増加させる操作メニュー変更手段と、を有することを特徴とする。
【００１１】
ここで、上記のナビゲーション装置において、前記操作履歴記憶手段は、前記メニュー項目ごとに前記操作回数を記憶し、前記操作メニュー変更手段は、前記メニュー項目ごとの前記操作回数の増加に応じて、前記操作メニューを構成する所定のメニュー項目を増加させること、を特徴とするものであってもよい。
【００１２】
また、上記のナビゲーション装置であって、前記メニュー項目ごとに、操作が最後に受け付けられた操作時刻を記憶する操作時刻記憶手段と、前記メニュー項目ごとに、前記操作時刻から所定時間を経過したか否かを判定する経過時間判定手段と、を有し、前記操作メニュー変更手段は、前記操作時刻から所定時間を経過したと判定された場合に、前記操作メニューを構成する所定のメニュー項目を操作不能な項目として指定し、前記表示制御手段は、操作不能として指定された前記メニュー項目を、操作不能な項目であることを示す態様で表示もしくは非表示にすること、を特徴とするものであってもよい。
【００１３】
また、上記のナビゲーション装置であって、所定のメニュー項目が増加した場合、もしくは、所定のメニュー項目が操作不能な項目として指定された場合、その旨を示すメッセージをユーザに通知する通知手段、を有すること、を特徴とするものであってもよい。
【００１４】
上記の課題を解決するための方法に係る発明は、ディスプレイに地図情報を表示して経路誘導を行うナビゲーション装置における操作メニュー変更方法であって、前記ナビゲーション装置は、複数のメニュー項目から構成される操作メニューを前記ディスプレイに表示する表示制御ステップと、前記操作メニューに対するユーザの操作を受け付けるユーザ操作受付ステップと、前記操作の回数を記憶する操作履歴記憶ステップと、前記操作回数の増加に応じて、前記操作メニューを構成する所定のメニュー項目を増加させる操作メニュー変更ステップと、を行うことを特徴とする。
【発明の効果】
【００１５】
本発明によれば、ナビゲーション装置の操作のエンターテイメント性を高めるとともに、ユーザをナビゲーション装置の操作により熟練し易くすることができる。
【図面の簡単な説明】
【００１６】
【図１】本発明の一実施形態が適用されたナビゲーション装置のハードウェア構成の概要を示すブロック図。
【図２】ナビゲーション装置の機能構成を示すブロック図。
【図３】操作メニュー構成情報の構成例を説明するための図。
【図４】操作履歴情報の構成例を説明するための図。
【図５】操作メニュー構成情報の構成例を説明するための図。
【図６】操作メニューの変更を行う処理の流れを示すフロー図。
【図７】本発明の一実施形態の変形例に係る、操作メニューの変更を行う処理の流れを示すフロー図。
【図８】操作メニューの表示の遷移例を示す図（その１）。
【図９】操作メニューの表示の遷移例を示す図（その２）。
【発明を実施するための形態】
【００１７】
以下、本発明の一実施形態について、図面を参照して説明する。
【００１８】
図１は、本発明の一実施形態が適用されたナビゲーション装置のハードウェア構成の概要を示すブロック図である。
【００１９】
ナビゲーション装置１は、車両などに搭載され、地図情報、経路情報、渋滞情報などの交通情報を表示してユーザを誘導するナビゲーション処理を行うための装置である。
【００２０】
もちろん、ナビゲーション装置１は、車両に備え付けられたものでなくてもよく、例えば、持ち運び可能なＰＮＤ（Personal Navigation Device）などであってもよい。また、車内ＬＡＮ（Local Area Network）、ＣＡＮ（Controller Area Network）などの車内通信回線を介して他の車載機器（例えば、オーディオやエアコン）やセンサなどと通信を行ってもよい。
【００２１】
ナビゲーション装置１は、演算処理部１０、表示装置２０、入力装置３０（タッチパネル３１、各種ハードスイッチ３２）、音声入出力装置４０（スピーカ４１、マイクロフォン４２）、記憶装置５０、車速センサ６０、ジャイロセンサ６２、ＧＰＳ(Global Positioning System)受信装置６４、ＦＭ多重放送受信装置６６、ビーコン受信装置６８を有する。
【００２２】
もちろん、ナビゲーション装置１は、上記の構成に限られず、例えば、地上デジタル放送用のチューナーや、携帯電話回線やインターネットなどの通信ネットワークと接続する通信装置を有していてもよい。
【００２３】
演算処理部１０は、上記の各装置を制御し、様々な処理を行う中心的ユニットである。演算処理部１０は、各種演算処理を行うＣＰＵ（Central Processing Unit）１１と、実行するプログラムや必要なデータを格納するＲＡＭ（Random Access Memory）１２やＲＯＭ（Read Only Memory）１３などのメモリと、他の装置を通信により制御するためのインタフェース（Ｉ／Ｆ）１４とが、信号線１５により接続されて構成される。
【００２４】
演算処理部１０は、例えば、車速センサ６０、ジャイロセンサ６２、ＧＰＳ受信装置６４から出力される情報を用いて現在地を算出する。また、得られた現在地情報に基づいて、表示に必要な地図情報を記憶装置５０から読み出す。
【００２５】
また、演算処理部１０は、読み出した地図情報をグラフィックス展開し、そこに現在地を示すマークを重ねて表示装置２０へ表示する。また、地図情報を用いて、ユーザから指示された出発地（現在地）と目的地とを結ぶ最適な経路（推奨経路）を算出して、表示装置２０へ表示する。
【００２６】
また、演算処理部１０は、例えば、スピーカ４１を介してユーザを誘導するための音声や操作音を出力する。また、マイクロフォン４２や入力装置３０を介してユーザの要求を受け付け、要求に対応する処理を実行する。
【００２７】
また、演算処理部１０は、例えば、ＦＭ多重放送受信装置６６やビーコン受信装置６８を介して、情報センターから交通情報などを受信して表示装置２０へ表示する。
【００２８】
表示装置２０は、演算処理部１０で生成されたグラフィックス情報を表示するユニットである。表示装置２０は、例えば、液晶ディスプレイ、有機ＥＬ（Electro-Luminescence）ディスプレイなどで構成される。
【００２９】
入力装置３０は、ユーザの指示をユーザの操作により受け付けるための装置である。入力装置３０は、タッチパネル３１、各種ハードスイッチ３２などで構成される。
【００３０】
タッチパネル３１は、表示装置２０の表示面に貼られた透過性のある操作パネルである。タッチパネル３１は、表示装置２０に表示された画像のＸＹ座標と対応したタッチ位置を特定し、タッチ位置を座標に変換して演算処理部１０に出力する。タッチパネル３１は、感圧式または静電式の入力検出素子などにより構成される。
【００３１】
各種ハードスイッチ３２は、例えば、ボタンキー（ボタンスイッチ）、ダイヤルスイッチ、スクロールホイール、スライドバー（スライドスイッチ）、ジョイスティックなどである。
【００３２】
ボタンキーは、例えば、メニュー表示、ルート探索、決定、取り消しなど、予め割り当てられた所定の機能を実行するために使用される。また、文字などを入力するために使用される。各ボタンキーは、押下された状態で所定の信号を発生し、演算処理部１０に出力する。演算処理部１０では、出力された信号から、押下されたボタンキーを検知する。
【００３３】
ダイヤルスイッチは、例えば、ナビゲーション装置１が実行する各種機能のメニュー選択などに使用される。ダイヤルスイッチは、時計回り及び反時計回りに回転可能に構成され、所定の角度の回転ごとにパルス信号を発生し、演算処理部１０に出力する。演算処理部１０では、パルス信号の数から、ダイヤルスイッチの回転角度を求める。
【００３４】
スクロールホイールは、例えば、表示装置２０に表示される地図のスクロールなどに使用される。地図の拡大や縮小に使用されてもよい。スクロールホイールは、ダイヤルスイッチと同様に構成されることができる。
【００３５】
スライドバーは、例えば、表示装置２０に表示される地図の拡大や縮小に使用される。スライドバーは、レバーを所定の２方向にスライド可能に構成され、レバーの位置に応じた信号（例えば、電圧）を発生し、演算処理部１０に出力する。演算処理部１０では、出力された信号から、レバーの位置を検知する。
【００３６】
ジョイスティックは、例えば、表示装置２０に表示される地図のスクロールなどに使用される。地図の拡大や縮小に使用されてもよい。また、各種機能のメニュー選択などに使用されてもよい。ジョイスティックは、レバーが傾けられた所定の方向ごとに所定の信号を発生し、演算処理部１０に出力する。演算処理部１０では、出力された信号から、レバーが傾けられた方向を検知する。
【００３７】
もちろん、各種ハードスイッチ３２は上記に限られない。また、各種ハードスイッチ３２の構成は上記に限られない。
【００３８】
音声入出力装置４０は、音声出力装置としてスピーカ４１と、音声入力装置としてマイクロフォン４２とを備える。スピーカ４１は、演算処理部１０で生成された音声信号を出力する。マイクロフォン４２は、ユーザその他の搭乗者から発せられた音声などの、ナビゲーション装置１の外部の音声を取得する。
【００３９】
スピーカ４１とマイクロフォン４２とは、車両の所定の部位に、別個に配置されている。もちろん、スピーカ４１とマイクロフォン４２とは、一体の筐体に収納されていてもよい。また、ナビゲーション装置１は、スピーカ４１およびマイクロフォン４２を、それぞれ複数備えることができる。
【００４０】
記憶装置５０には、演算処理部１０が各種処理を実行するために必要な、プログラムやデータ、ナビゲーション処理に使用される地図情報、音声認識に使用される音声辞書などが格納される。演算処理部１０のＣＰＵ１１によってＲＡＭ１２上に読み出されて使用される。記憶装置５０は、例えば、ＨＤＤ（Hard Disk Drive）、ＣＤ-ＲＯＭ、ＤＶＤ-ＲＯＭなどにより構成される。
【００４１】
車速センサ６０、ジャイロセンサ６２、及び、ＧＰＳ受信装置６４は、移動体（ナビゲーション装置１）の現在位置（自車位置）などを検出するために使用される。
【００４２】
車速センサ６０は、車速を算出するために用いる車速データを出力するセンサである。ジャイロセンサ６２は、光ファイバジャイロや振動ジャイロ等で構成され、移動体の回転による角速度を検出するものである。ＧＰＳ受信装置６４は、ＧＰＳ衛星からの信号を受信し、移動体とＧＰＳ衛星間の距離とその距離の変化率を３個以上の衛星に対して測定することで、移動体の現在位置や進行速度を測定する。
【００４３】
上記のようにして検出されたデータは、演算処理部１０に送られて、ナビゲーション処理に使用される。もちろん、各種センサは、車内ＬＡＮやＣＡＮを介してナビゲーション装置１と接続されていてもよい。
【００４４】
ＦＭ多重放送受信装置６６は、ＦＭ多重放送局から送られてくるＦＭ多重放送信号を受信する。ＦＭ多重放送には、ＶＩＣＳ（Vehicle Information Communication System：登録商標）情報の概略現況交通情報、規制情報、ＳＡ／ＰＡ（サービスエリア／パーキングエリア）情報、駐車場情報、天気情報などや、ＦＭ多重一般情報としてラジオ局が提供する文字情報などがある。
【００４５】
ビーコン受信装置６８は、ビーコンから送られてくる渋滞情報、規制情報、ＳＡ／ＰＡ情報、駐車場情報などを受信する。
【００４６】
図２は、ナビゲーション装置の機能構成を示すブロック図である。
【００４７】
本図に示すように、ナビゲーション装置１は、主制御部１１０、現在地算出部１２０、経路探索部１３０、表示制御部１４０、ユーザ操作受付部１５０、熟練レベル判定部１６０、操作メニュー変更部１７０、記憶部１８０を有する。記憶部１８０は、地図情報（図示せず）、操作メニュー構成情報１８１０、操作履歴情報１８２０、熟練レベル判定情報１８３０を有する。
【００４８】
主制御部１１０、現在地算出部１２０、経路探索部１３０、表示制御部１４０、ユーザ操作受付部１５０、熟練レベル判定部１６０、操作メニュー変更部１７０は、演算処理部１０のＣＰＵ１１が、記憶装置５０やＲＯＭ１３から、所定のプログラムやデータをＲＡＭ１２上にロードして実行することにより構築される。記憶部１８０は、記憶装置５０やＲＡＭ１２により構築される。
【００４９】
主制御部１１０は、ナビゲーション装置１の本来の基本動作であるナビゲーション処理（例えば、交通情報の表示、現在位置の表示、経路の表示、経路誘導等）を行う。
【００５０】
具体的には、主制御部１１０は、現在地算出部１２０が算出した現在地周辺の地図情報を記憶部１８０から読み出す。そして、読み出した地図情報に現在地情報を重ねて表示するように表示制御部１４０に指示する。
【００５１】
また、主制御部１１０は、経路探索部１３０が算出した経路情報がある場合は、その経路を表示するように表示制御部１４０に指示する。ＦＭ多重放送受信装置６６やビーコン受信装置６８を介して取得した交通情報を表示するようにしてもよい。また、主制御部１１０は、スピーカ４１を用いてユーザを案内する音声を出力する。
【００５２】
また、主制御部１１０は、ユーザ操作受付部１５０を介して受け付けたユーザの操作に対応する処理を行う。すなわち、主制御部１１０は、タッチパネル３１や各種ハードスイッチ３２の操作をユーザ操作受付部１５０を介して受け付け、操作されたメニュー項目やアイコン、ハードスイッチ３２に対応付けられた各種機能を実行する。そして、実行結果を表示するように表示制御部１４０に指示する。例えば、主制御部１１０は、操作メニューの切り換え、地図のスクロール、地図の拡大縮小、経路探索などを制御する。
【００５３】
ここで、操作メニューの表示制御方法について説明する。以下では、階層構造の操作メニューを例に説明する。
【００５４】
主制御部１１０は、例えば、図３に示すような、操作メニュー構成情報１８１０を用いて、操作メニューの表示を行うように表示制御部１４０に指示する。
【００５５】
操作メニュー構成情報１８１０は、複数の操作メニュー（例えば、Ａ１、Ｂ１、Ｂ２、Ｃ１、Ｃ２）を有する。各操作メニューは、メニュー項目ＩＤ１８１１ごとに、ＯＮ／ＯＦＦ情報１８１２が対応付けられて構成される。
【００５６】
メニュー項目ＩＤ１８１１は、操作メニューを構成するメニュー項目を識別するための情報である。メニュー項目ＩＤ１８１１は、各操作メニューに少なくとも１つ以上含まれる。
【００５７】
また、メニュー項目ＩＤ１８１１は、下の階層の操作メニューと関連付けられている。これにより、主制御部１１０は、メニュー項目が操作された場合に、次に表示すべき操作メニューを特定することができる。
【００５８】
例えば、操作メニューＡ１のメニュー項目「ナビ」が操作された場合、主制御部１１０は、当該メニュー項目に関連付けられた操作メニューＢ１を表示させることができる。なお、他の操作メニューと関連付けられていないメニュー項目、例えば、最下位階層のメニュー項目が操作された場合、主制御部１１０は、当該メニュー項目に割り当てられた機能を実行する。
【００５９】
ＯＮ／ＯＦＦ情報１８１２は、対応付けられたメニュー項目ＩＤ１８１１のメニュー項目が、有効か否か、すなわち、操作メニューに含めて表示するか否かを示す情報である。ＯＮ／ＯＦＦ情報１８１２を用いて、主制御部１１０は、操作メニューに表示すべきメニュー項目を特定する。すなわち、ＯＮ／ＯＦＦ情報１８１２がＯＮであるメニュー項目が表示され、ＯＦＦであるメニュー項目は表示されない。
【００６０】
もちろん、操作メニューの表示制御方法は上記に限られない。
【００６１】
図２に戻って、現在地算出部１２０は、所定の間隔毎（例えば、所定距離毎、所定時間毎）に、車速センサ６０、ジャイロセンサ６２、ＧＰＳ受信装置６４から出力される情報を用いて現在地を算出する。算出された現在地情報は、主制御部１１０、経路探索部１３０などに送られてそれらの処理に使用される。
【００６２】
経路探索部１３０は、指定された２地点（現在地、目的地）間を結ぶ推奨経路の探索を行う。
【００６３】
具体的には、経路探索部１３０は、まず、ユーザ操作受付部１５０を介してユーザにより指定された目的地を取得する。また、現在地算出部１２０から現在地を取得する。また、地図情報を記憶部１８０から読み出す。そして、ダイクストラ法等を用いて、２地点（現在地と目的地）間を結ぶ経路を、所定の地点（ノード）を結ぶ道路（リンク）をリンクコスト（例えば、距離や旅行時間）に換算して、経路上の総コストが他の経路に対して最少となる経路を探索する。
【００６４】
なお、ＦＭ多重放送受信装置６６やビーコン受信装置６８を介して取得した交通情報を用いて最適な経路を探索するようにしてもよい。
【００６５】
表示制御部１４０は、他の機能部の指示を受け付け、表示装置２０に画面を表示させるための描画コマンドを生成して出力する。例えば、指定されたスケール、描画方式で、道路、その他の地図構成物や、現在地、経由地、目的地、推奨経路のための矢印といったマークを描画するように地図描画コマンドを生成する。また、ユーザの指示を受け付けるためのアイコンや操作メニューなどの画像を描画するように描画コマンドを生成する。
【００６６】
ユーザ操作受付部１５０は、入力装置３０を介して入力されたユーザの操作を受け付け、その操作内容を解析し、その操作内容に対応する処理が実行されるように他の機能部を制御する。また、マイクロフォン４２を介して入力された音声から、音声認識により対応する操作内容を解析して、その操作内容に対応する処理が実行されるように他の機能部を制御する。
【００６７】
例えば、表示装置２０に表示された操作メニュー上のメニュー項目の操作を検出した場合、ユーザ操作受付部１５０は、主制御部１１０に、操作されたメニュー項目の内容を出力し、当該メニュー項目に割り当てられた機能を実行するように要求する。例えば、操作メニューの階層の切り替えや、目的地の設定を受け付けるための画面を表示などの処理を要求する。同様に、各種ハードスイッチ３２の操作を検出したときも、ユーザ操作受付部１５０は、主制御部１１０に、操作内容を出力し、対応する機能を実行するように要求する。
【００６８】
また、ユーザ操作受付部１５０は、操作されたメニュー項目の履歴を記録する。具体的には、ユーザ操作受付部１５０は、メニュー項目ごとに、操作された回数（例えば、タッチされた回数）を、操作履歴情報１８２０として記録する。
【００６９】
操作履歴情報１８２０は、例えば、図４に示すように、メニュー項目ＩＤ１８２１ごとに、その操作回数１８２２が対応付けられて構成される。操作履歴情報１８２０には、階層関係に係わらず、操作メニューを構成する全てのメニュー項目のメニュー項目ＩＤ１８２１が含まれる。もちろん、操作履歴情報１８２０の構成は上記に限られない。
【００７０】
図２に戻って、熟練レベル判定部１６０は、所定の条件に基づいて、メニュー操作に対するユーザの熟練レベルを判定する。具体的には、熟練レベル判定部１６０は、操作履歴情報１８２０と、熟練レベル判定情報１８３０とを用いて、ユーザの熟練レベルを判定する。
【００７１】
熟練レベル判定情報１８３０は、所定の条件に対応する熟練レベルと、その熟練レベルに応じた操作メニューの設定内容を特定するための情報である。熟練レベル判定情報１８３０は、例えば、図５に示すように、所定の条件１８３１ごとに、設定内容１８３５と熟練レベル１８３８とが対応付けられて構成される。
【００７２】
条件１８３１は、メニュー項目ごとの熟練レベルを判定するための条件を示す情報である。条件１８３１は、メニュー項目ＩＤ１８３２と、操作回数１８３３とを含む。操作回数１８３３は、メニュー項目ごとの熟練レベルに対応する操作回数の閾値を示す情報である。なお、操作回数が多いほど熟練レベルが高いものとする。
【００７３】
設定内容１８３５は、メニュー項目ごとの熟練レベルに対応する操作メニューの設定内容を示す情報である。設定内容１８３５は、メニュー項目ＩＤ１８３６と、ＯＮ／ＯＦＦ情報１８３７とを含む。ＯＮ／ＯＦＦ情報１８３７は、対応付けられたメニュー項目ＩＤ１８３６のメニュー項目を、操作メニューに含めて表示するか否かを示す情報である。
【００７４】
熟練レベル１８３８は、条件１８３１に対応するユーザの熟練レベルを示す情報である。
【００７５】
熟練レベル判定部１６０は、操作が行われたメニュー項目の操作履歴情報１８２０を取得し、条件１８３１と比較を行うことにより、当該メニュー項目の熟練レベル１８３８を判定する。また、熟練レベルに対応する操作メニューの設定内容１８３５を特定する。
【００７６】
図２に戻って、操作メニュー変更部１７０は、熟練レベル判定部１６０により特定された熟練レベルに応じて、操作メニューの構成を変更する。
【００７７】
具体的には、操作メニュー変更部１７０は、熟練レベル判定情報１８３０を参照し、特定された熟練レベル１８３８に対応する設定内容１８３５を取得する。そして、取得した設定内容１８３５に含まれるメニュー項目ＩＤ１８３６と対応する、メニュー項目ＩＤ１８１１を操作メニュー構成情報１８１０の中から特定する。それから、特定したメニュー項目ＩＤ１８１１に対応付けられたＯＮ／ＯＦＦ情報１８１２の設定値を、取得した設定内容１８３５に含まれるＯＮ／ＯＦＦ情報１８３７と同じ値に変更する。
【００７８】
本実施形態では、各メニュー項目のユーザの熟練レベルは初期値としてレベル１（レベル１未満のレベルはないものとする）が設定される。各メニュー項目の熟練レベルは、例えば、記憶部１８０などに保持される。レベル１では、予め定めたメニュー項目（例えば、初心者にとって必要最低限のメニュー項目）以外のメニュー項目のＯＮ／ＯＦＦ情報１８１２は、ＯＦＦに設定される。
【００７９】
そして、各メニュー項目の操作回数が増加して熟練レベルが上がるに従って、所定のメニュー項目がＯＮに設定されるように、設定内容１８３５が構成される。すなわち、レベルが上がるに連れてメニュー項目が増加するように構成される。
【００８０】
もちろん、上級者にとって不要なメニュー項目が削除されるように設定してもよい。この場合、所定のメニュー項目がＯＦＦになるように設定内容１８３５が構成される。
【００８１】
次に、上述のハードウェアおよび機能部により実現される処理について、図６を参照して説明する。
【００８２】
図６は、操作メニューの変更を行う処理の流れを示すフロー図である。本フローは、ナビゲーション装置１の起動後に開始される。
【００８３】
本フローが開始されると、ユーザ操作受付部１５０は、ユーザの操作があったか否かを監視する（Ｓ１００）。
【００８４】
具体的には、ユーザ操作受付部１５０は、入力装置３０を介して、表示装置２０に表示された操作メニュー上のメニュー項目の操作（タッチによる選択や、ハードスイッチによる選択など）がされた否かを定期的に判定する。そして、ユーザの操作があったと判定した場合（Ｓ１００でＹＥＳ）、Ｓ１１０に進む。一方、ユーザの操作がないと判定した場合（Ｓ１００でＮＯ）、監視を継続する。
【００８５】
ユーザの操作があったと判定された場合（Ｓ１００でＹＥＳ）、ユーザ操作受付部１５０は、操作されたメニュー項目の操作回数をカウントアップする（Ｓ１１０）。具体的には、ユーザ操作受付部１５０は、操作されたメニュー項目のメニュー項目ＩＤを用いて、当該メニュー項目の操作履歴情報１８２０を特定し、操作回数１８２２を１回分カウントアップする。そして、Ｓ１２０に進む。
【００８６】
操作されたメニュー項目の操作回数がカウントされると（Ｓ１１０）、熟練レベル判定部１６０は、ユーザの熟練レベルを判定する（Ｓ１２０）。
【００８７】
具体的には、熟練レベル判定部１６０は、操作されたメニュー項目のメニュー項目ＩＤ１８２１と操作回数１８２２とを取得し、熟練レベル判定情報１８３０の各エントリの条件１８３１（メニュー項目ＩＤ１８３２、操作回数１８３３）との比較を行う。そして、条件が一致するエントリを特定する。
【００８８】
それから、熟練レベル判定部１６０は、操作されたメニュー項目について現在設定されている熟練レベルと、特定したエントリの熟練レベル１８３８とを比較する。なお、各メニュー項目に設定されている熟練レベルは、例えば、記憶部１８０などに保持されている。そして、２つのレベルの値が異なると判定した場合（Ｓ１２０で「レベルアップ」）、レベルが上がったものとしてＳ１３０に進む。一方、２つのレベルの値が同じであると判定した場合（Ｓ１２０で「レベル変更なし」）、レベルに変更がないものとしてＳ１４０に進む。
【００８９】
ユーザの熟練レベルが上がったと判定された場合（Ｓ１２０で「レベルアップ」）、操作メニュー変更部１７０は、操作メニューの変更を行う（Ｓ１３０）。
【００９０】
具体的には、操作メニュー変更部１７０は、特定されたエントリ（Ｓ１２０）の設定内容１８３５を取得する。そして、取得した設定内容１８３５のメニュー項目ＩＤ１８３６と対応する、操作メニュー構成情報１８１０のメニュー項目ＩＤ１８１１を特定する。それから、特定したメニュー項目ＩＤ１８１１に対応付けられたＯＮ／ＯＦＦ情報１８１２の設定値を、取得した設定内容１８３５のＯＮ／ＯＦＦ情報１８３７と同じ値に変更する。また、現在設定されている熟練レベルを、特定されたエントリの熟練レベル１８３８に変更する。そして、Ｓ１４０に進む。
【００９１】
ユーザの熟練レベルに変更がないと判定された場合（Ｓ１２０で「レベル変更なし」）、または、操作メニューが変更された場合（Ｓ１３０）、主制御部１１０は、操作メニューの表示処理を行う（Ｓ１４０）。
【００９２】
具体的には、主制御部１１０は、操作メニュー構成情報１８１０を参照し、操作されたメニュー項目（Ｓ１００でＹＥＳ）のメニュー項目ＩＤ１８１１に関連付けられた、下の階層の操作メニューを特定する。そして、主制御部１１０は、特定した操作メニューを構成する各メニュー項目ＩＤ１８１１のうち、ＯＮ／ＯＦＦ情報１８１２がＯＮであるメニュー項目ＩＤ１８１１を特定する。それから、主制御部１１０は、特定したメニュー項目ＩＤ１８１１に対応するメニュー項目から構成される操作メニューを表示するように、表示制御部１４０に指示する。そして、Ｓ１００に戻る。
【００９３】
ここで、図８、９を参照して、操作メニューの表示例について説明する。図８、９は、操作メニューの表示の遷移例を示す図である。
【００９４】
図８（Ａ）に示すように、表示装置２０の表示画面には、地図８００、現在地マーク８０２、経路シンボル８０３などの各種情報が表示される。また、操作メニュー８１０が表示される。操作メニュー８１０には、各種メニュー項目８１１が含まれる。
【００９５】
図８（Ａ）は、操作メニュー構成情報１８１０の操作メニューＡ１（図３参照）に従って、操作メニュー８１０が表示された状態を示している。操作メニューＡ１を構成する各メニュー項目ＩＤ１８１１（「ナビ」、「オーディオ」、「エアコン」）のＯＮ／ＯＦＦ情報１８１２は、全てＯＮとなっている。そのため、各メニュー項目ＩＤ１８１１に対応するメニュー項目８１１（「ナビ」、「オーディオ」、「エアコン」）が表示されている。
【００９６】
図８（Ａ）の状態で、例えば、メニュー項目「ナビ」が選択され、かつ、熟練レベルに変更がないと判定された場合、操作メニューは図８（Ｂ）のように表示される。
【００９７】
図８（Ｂ）は、操作メニュー構成情報１８１０の操作メニューＢ１（図３参照）に従って、操作メニュー８２０が表示された状態を示している。この場合、操作メニューＢ１を構成する各メニュー項目ＩＤ１８１１（「目的地」、「情報表示」、「設定」）のＯＮ／ＯＦＦ情報１８１２は、一部がＯＮとなっている。そのため、各メニュー項目ＩＤ１８１１のうち、ＯＮであるメニュー項目に対応するメニュー項目８２１（「目的地」）が表示されている。
【００９８】
図８（Ｂ）の状態で、例えば、メニュー項目「目的地」が選択され、かつ、熟練レベルに変更がないと判定された場合、操作メニューは図８（Ｃ）のように表示される。
【００９９】
図８（Ｃ）は、操作メニュー構成情報１８１０の操作メニューＣ１（図３参照）に従って、操作メニュー８３０が表示された状態を示している。この場合、操作メニューＣ１を構成する各メニュー項目ＩＤ１８１１（「登録地」、「施設」、「５０音」）のＯＮ／ＯＦＦ情報１８１２は、一部がＯＮとなっている。そのため、各メニュー項目ＩＤ１８１１のうち、ＯＮであるメニュー項目に対応するメニュー項目８３１（「施設」、「５０音」）のＯＮが表示されている。
【０１００】
一方、図８（Ａ）の状態で、例えば、メニュー項目「ナビ」が選択され、かつ、熟練レベルがレベル２に上がったと判定された場合（図５参照）、操作メニューは図９（Ｄ）のように表示される。
【０１０１】
図９（Ｄ）は、操作メニュー構成情報１８１０の操作メニューＢ１（図３参照）に従って、操作メニュー８２０が表示された状態を示している。ここで、熟練レベルがレベル２に上がったと判定されているため、操作メニューＢ１を構成する各メニュー項目ＩＤ１８１１（「情報表示」、「設定」）のＯＮ／ＯＦＦ情報１８１２は、熟練レベル判定情報１８３０に従って、ＯＮに設定される（図示せず）。そのため、各メニュー項目ＩＤ１８１１のうち、ＯＮであるメニュー項目に対応するメニュー項目８２１（「目的地」、「情報表示」、「設定」）が表示されている。
【０１０２】
ここで、主制御部１１０は、例えば、図９（Ｄ）に示すように、追加したメニュー項目を、新しいメニュー項目であることをユーザが認識できる態様で表示するようにしてもよい。例えば、他のメニュー項目よりも明るく表示したり、形状を変化させて表示したりすることができる。
【０１０３】
また、主制御部１１０は、「新機能が使えるようになりました！」などと、新しいメニュー項目が追加されたことを通知するメッセージ８５０を表示したり、メッセージをスピーカ４１から出力したりするようにしてもよい。また、操作メニューやメッセージなどのウィンドウやアイコンなどの外観のデザイン（例えば、「スキン」などと呼ばれる。）を変更するようにしてもよい。
【０１０４】
図９（Ｄ）の状態で、例えば、メニュー項目「目的地」が選択され、かつ、熟練レベルがレベル２に上がったと判定された場合（図５参照）、操作メニューは図９（Ｅ）のように表示される。
【０１０５】
図９（Ｅ）は、操作メニュー構成情報１８１０の操作メニューＣ１（図３参照）に従って、操作メニュー８３０が表示された状態を示している。ここで、熟練レベルがレベル２上がったと判定されているため、操作メニューＣ１を構成するメニュー項目ＩＤ１８１１（「登録地」）のＯＮ／ＯＦＦ情報１８１２は、熟練レベル判定情報１８３０に従って、ＯＮに設定される（図示せず）。そのため、各メニュー項目ＩＤ１８１１のうち、ＯＮであるメニュー項目に対応するメニュー項目８３１（「登録地」、「施設」、「５０音」）が表示されている。
【０１０６】
なお、主制御部１１０は、図９（Ｄ）の状態と同様に、新しいメニュー項目の態様を変化させて表示したり、メッセージ８５０を表示したりすることができる。また、スキンを変更したりすることができる。
【０１０７】
以上、本発明の一実施形態について説明した。本実施形態によれば、ナビゲーション装置の操作のエンターテイメント性を高めるとともに、ユーザをナビゲーション装置の操作により熟練し易くすることができる。
【０１０８】
すなわち、操作回数に応じた熟練レベルが上がるに従って、ユーザが操作可能なメニュー項目（機能）が増加する。このような構成により、ユーザは、現在使用可能な機能の操作に熟練しなければ、新しい機能を使用することができない。そのため、ユーザは、現在使用可能な機能から順に熟練されることができる。
【０１０９】
また、現在使用可能な機能の操作に熟練しないと、ユーザは新しい機能を使用できないため、様々な機能の操作にチャレンジして習得するといったユーザの積極的な意志を助長することができる。また、ナビゲーション装置の操作に対するユーザの興味を引くことができ、エンターテイメント性が高まる。
【０１１０】
また、ユーザが熟練するに従ってナビゲーション装置の機能が増加していくため、エンターテイメント性が高まる。また、ナビゲーション装置の機能の増加とともにユーザ自身も熟練するため、ナビゲーション装置に対する愛着がわくというようなエンターテイメント性が高まる。
【０１１１】
また、最初から全てのメニュー項目が表示されないため、初心者のユーザにとって、使いこなせない機能のメニュー項目が操作の邪魔になる状況を防ぐことができる。
【０１１２】
なお、上記の実施形態では、メニュー項目ごとに、操作回数を記録し、熟練レベルを判定するように構成されているが、全メニュー項目の操作回数の合計値を記録し、その合計値に応じて所定のメニュー項目を増減させるように構成されてもよい。
【０１１３】
また、複数のメニュー項目から成る所定の機能グループ（例えば、「ナビ」、「オーディオ」など）ごとに操作回数の合計値を記録し、その合計値に応じて、各機能グループの所定のメニュー項目を増減させるように構成されてもよい。
【０１１４】
また、上記の実施形態では、操作されたメニュー項目に関連付けられた下位の階層の操作メニューのメニュー項目が増減するように構成されているが、操作されたメニュー項目の属する階層や、操作されたメニュー項目の上位の階層のメニュー項目が増減するように構成されていても良い。また、操作されたメニュー項目と直接関連付けられていない他の階層のメニュー項目が増減するように構成されてもよい。これらの場合も、熟練レベル判定情報１８３０の設定内容１８３５に、増減させるべきメニュー項目のメニュー項目ＩＤ１８３５を予め設定しておけば良い。
【０１１５】
例えば、図３のメニュー構成において、操作メニューＡ１のメニュー項目「ナビ」に関連付けられた、操作メニューＢ１のメニュー項目「設定」の熟練レベルが所定のレベルに上がった場合に、操作メニューＡ１のメニュー項目「オーディオ」や「エアコン」に関連付けられた操作メニューのメニュー項目が増加するように、熟練レベル判定情報１８３０を構成する。このようにすれば、ユーザのレベルアップに応じて、操作方法が類似する所定のメニュー項目を増加させることができる。
【０１１６】
次に、上記の一実施形態の変形例について説明する。本変形例は、所定の条件に応じてメニュー項目の使用を制限する構成である。以下、上記の一実施形態と異なる点を中心に説明する。
【０１１７】
本変形例では、メニュー項目ごとに操作時刻が記録される。操作時刻は、例えば、各メニュー項目の操作履歴情報１８２０に対応付けて記録されることができる（図示せず）。
【０１１８】
ユーザ操作受付部１５０は、操作されたメニュー項目の操作時刻を、操作履歴情報１８２０として記録する。
【０１１９】
熟練レベル判定部１６０は、各メニュー項目について、そのメニュー項目が最後に操作された操作時刻から所定時間（例えば、１ヶ月）経過したか否かを、定期的に監視する。そして、所定時間を経過したか否かを判定する。所定時間は、メニュー項目ごとに定められてもよい。
【０１２０】
操作メニュー変更部１７０は、最後に操作されてから所定時間を経過したメニュー項目について、熟練レベルを下げ、所定のメニュー項目を使用できないように制限する。
【０１２１】
図７は、変形例に係る、操作メニューの変更を行う処理の流れを示すフロー図である。本フローは、ナビゲーション装置１の起動後に開始される。
【０１２２】
上記の一実施形態（図６参照）と異なる点は、Ｓ１００がＳ１１０´となっている点、Ｓ１０５、Ｓ１３５が追加されている点である。
【０１２３】
ユーザの操作があったと判定された場合（Ｓ１００でＹＥＳ）、ユーザ操作受付部１５０は、操作されたメニュー項目の操作時刻を記録し、また、操作回数をカウントアップする（Ｓ１１０´）。具体的には、ユーザ操作受付部１５０は、操作されたメニュー項目のメニュー項目ＩＤを用いて、当該メニュー項目の操作履歴情報１８２０を特定し、操作時刻を記録する。また、操作回数１８２２を１回分カウントアップする。そして、Ｓ１２０に進む。
【０１２４】
ユーザの操作がないと判定された場合（Ｓ１００でＮＯ）、熟練レベル判定部１６０は、各メニュー項目について、最後に操作された操作時刻から所定時間が経過したか否かを判定する（Ｓ１０５）。
【０１２５】
具体的には、熟練レベル判定部１６０は、操作履歴情報１８２０を参照して、各メニュー項目の操作時刻を取得する。そして、現在時刻と操作時刻の差分から、所定時間を経過したか否かを判定する。所定時間を経過したメニュー項目があると判定した場合（Ｓ１０５でＹＥＳ（レベルダウン））、熟練レベルが下がったものとしてＳ１３５に進む。一方、所定時間を経過したメニュー項目がないと判定した場合（Ｓ１０５でＮＯ）、Ｓ１００に戻る。
【０１２６】
所定時間を経過したメニュー項目があると判定された場合（Ｓ１０５でＹＥＳ（レベルダウン））、操作メニュー変更部１７０は、操作メニューの制限を行う（Ｓ１３５）。
【０１２７】
具体的には、操作メニュー変更部１７０は、所定時間を経過したメニュー項目について現在設定されている熟練レベルを、所定数（例えば、１レベル）下げる。すなわち、操作メニュー変更部１７０は、まず、熟練レベル判定情報１８３０を参照して、所定時間を経過したメニュー項目のメニュー項目ＩＤと一致するメニュー項目ＩＤ１８３２を有するエントリのうち、現在設定されている熟練レベルと一致する熟練レベル１８３８を有するエントリを特定する。また、特定したエントリの設定内容１８３５を取得する。
【０１２８】
そして、操作メニュー変更部１７０は、取得した設定内容１８３５のメニュー項目ＩＤ１８３６と対応する、メニュー項目ＩＤ１８１１を操作メニュー構成情報１８１０の中から特定する。それから、特定したメニュー項目ＩＤ１８１１に対応付けられたＯＮ／ＯＦＦ情報１８１２の設定値を、制限されていることを示す値に設定する。もちろん、ＯＦＦに設定するようにしてもよい。そして、Ｓ１４０に進む。
【０１２９】
なお、操作メニュー変更部１７０は、熟練レベルを下げたメニュー項目について、そのレベルに対応する条件１８３１の操作回数１８３３に合致するように、操作履歴情報１８２０の操作回数１８２２を設定する。例えば、熟練レベルがレベル２から１に下がった場合（図５参照）、操作回数１８２２を５０回以上１００回未満の値にリセットする。
【０１３０】
例えば、図９（Ｅ）に示すように、メニュー項目「登録地」が使用可能になった状態で、メニュー項目「目的地」が所定時間操作されず、熟練レベルがレベル１に下がったと判定された場合（図５参照）、操作メニューは図９（Ｆ）のように表示される。
【０１３１】
図９（Ｆ）は、操作メニュー構成情報１８１０の操作メニューＣ１（図３参照）に従って、操作メニュー８３０が表示された状態を示している。ここで、メニュー項目「目的地」の熟練レベルがレベル１に下がったと判定されているため、操作メニューＣ１を構成するメニュー項目ＩＤ１８１１（「登録地」）のＯＮ／ＯＦＦ情報１８１２は、熟練レベル判定情報１８３０に従って、制限されていることを示す値に設定される。
【０１３２】
そのため、各メニュー項目ＩＤ１８１１のうち、制限されていることを示す値が設定されているメニュー項目に対応するメニュー項目８３１（「登録地」）が、操作が制限されていることをユーザが認識できる態様で（例えば、色をトーンダウンして）表示されている。ＯＦＦに設定されている場合は、メニュー項目を消去してもよい。
【０１３３】
ここで、主制御部１１０は、「一部の機能が使えなくなりました！」などと、一部のメニュー項目の使用が制限されたことを通知するメッセージ８５２を表示したり、メッセージをスピーカ４１から出力したりするようにしてもよい。また、操作メニューやメッセージなどのウィンドウやアイコンなどのスキンを変更するようにしてもよい。
【０１３４】
以上、本発明の一実施形態の変形例について説明した。本変形例によれば、上記の実施形態より増して、ナビゲーション装置の操作のエンターテイメント性を高めるとともに、ユーザをナビゲーション装置の操作により熟練し易くすることができる。
【０１３５】
すなわち、所定時間使用されないメニュー項目（機能）については、使用できないように操作が制限される。そして、ユーザは、操作が制限された機能を使用するためには、再び熟練レベルを上げる必要がある。そのため、ユーザは、所定の期間操作を行わないことにより熟練レベルが下がった場合に、現在使用可能な機能から順に、再度熟練されることができる。
【０１３６】
また、現在使用可能な機能の操作に熟練しないと、ユーザは、熟練レベルが下がる前に使用可能であった機能を使用できないため、様々な操作を再習得するといったユーザの積極的な意志を助長することができる。また、ナビゲーション装置の操作に対するユーザの興味を引くことができ、エンターテイメント性が高まる。
【０１３７】
また、ユーザの熟練レベルに応じて、ナビゲーション装置の機能が増減するため、エンターテイメント性が高まる。
【０１３８】
また、操作する頻度が低い機能のメニュー項目は使用できなくなるため、ユーザにとって、使わない機能のメニュー項目が操作の邪魔になる状況を防ぐことができる。
【０１３９】
なお、上記の変形例では、所定時間操作がされていないメニュー項目に関連付けられた下位の階層のメニュー項目の使用が制限されるように構成されているが、所定時間操作がされていないメニュー項目自体や、当該メニュー項目の属する階層の他のメニュー項目や、当該メニュー項目の上位の階層のメニュー項目の使用が制限されるように構成されてもよい。また、所定時間操作がされていないメニュー項目と直接関連付けられていない他の階層のメニュー項目の使用が制限されるように構成されてもよい。
【０１４０】
以上、本発明について、例示的な実施形態と関連させて記載した。多くの代替物、修正および変形例が当業者にとって明らかであることは明白である。したがって、上に記載の本発明の実施形態は、本発明の要旨と範囲を例示することを意図し、限定するものではない。
【符号の説明】
【０１４１】
１：ナビゲーション装置、１０：演算処理部、１１：ＣＰＵ、１２：ＲＡＭ、１３：ＲＯＭ、１４：Ｉ／Ｆ、１５：信号線、２０：表示装置、３０：入力装置、３１：タッチパネル、３２：ハードスイッチ、４０：音声入出力装置、４１：スピーカ、４２：マイクロフォン、５０：記憶装置、６０：車速センサ、６２：ジャイロセンサ、６４：ＧＰＳ受信装置、６６：ＦＭ多重放送受信装置、６８：ビーコン受信装置、
１１０：主制御部、１２０：現在地算出部、１３０：経路探索部、１４０：表示制御部、１５０：操作受付部、１６０：熟練レベル判定部、１７０：操作メニュー変更部、１８０：記憶部、
１８１０：操作メニュー構成情報、１８１１：メニュー項目ＩＤ、１８１２：ＯＮ／ＯＦＦ情報、
１８２０：操作履歴情報、１８２１：メニュー項目ＩＤ、１８２２：操作回数、
１８３０：熟練レベル判定情報、１８３１：条件、１８３２：メニュー項目ＩＤ、１８３３：操作回数、１８３５：設定内容、１８３６：メニュー項目ＩＤ、１８３７：ＯＮ／ＯＦＦ情報、１８３８：熟練レベル、
８００：地図、８０２：現在地マーク、８０３：経路シンボル、８１０：操作メニュー、８１１：メニュー項目、８２０：操作メニュー、８２１：メニュー項目、８３０：操作メニュー、８３１：メニュー項目、８５０：メッセージ、８５２：メッセージ
【図１】
2011075525.tif 000003
【図２】
2011075525.tif 000004
【図３】
2011075525.tif 000005
【図４】
2011075525.tif 000006
【図５】
2011075525.tif 000007
【図６】
2011075525.tif 000008
【図７】
2011075525.tif 000009
【図８】
2011075525.tif 000010
【図９】
2011075525.tif 000011